(57)【要約】    【課題】コンクリート躯体中に凹所を作成するための型枠を簡単に設置することができると共に、高さの調節を簡単かつ自由に行うことが出来るコンクリート型枠支持材を提供すること。    【解決手段】  コンクリート打設部位に配置するベース部材１０と、このベース部材１０に直立させて設けた支柱２０と、当該支柱２０に取付けて、支柱２０の長手方向に移動自在に設けたトッププレート３０と、このトッププレート３０上に設けた型板支持部４０とを具備している。    【選択図】            図１
0003102251.tif 000002
【実用新案登録請求の範囲】
【請求項１】
コンクリート打設部位に配置するベース部材と、このベース部材に直立させて設けた支柱と、当該支柱に取付けて、支柱の長手方向に移動自在に設けたトッププレートと、このトッププレート上に設けた型板支持部とを具備することを特徴とするコンクリート型枠支持材。
【請求項２】
上記型枠支持部は、縦断面上向きコ字状に形成して、型枠を支持可能に形成していると共に、コ字状の上部を拡開状に形成している請求項１記載のコンクリート型枠支持材。
【請求項３】
上記型枠支持部は、縦断面上向きコ字状に形成し、型枠を支持可能に形成していると共に、型枠の支持部分を平面視Ｌ字状に形成している請求項１又は２記載のコンクリート型枠支持材。
【考案の詳細な説明】
【技術分野】
【０００１】
この考案は、マンション等の躯体となるコンクリートを打設する際に使用される型枠を支持するためのコンクリート型枠支持材に関する。
【背景技術】
【０００２】
従来、マンション等の躯体となるコンクリートは、各階毎に平坦面となるように打設されていた。しかしながら、近年バリアフリー構造として段差を無くした居室の要請が強くなってきているが、上記従来構造のコンクリート躯体では、浴室や洗面室等のような床側に浴槽や床排水スペースが必要とされる場所では、平坦なコンクリート躯体では、バリアフリー構造とする要請が満たされないものであった。
【０００３】
そこで、床仕上がり面に段差の無いバリアフリー構造の住居を形成するためには、浴室や洗面室に該当する場所に、床面コンクリート躯体を形成する際、躯体側において他の場所より低くした凹所を形成する必要があった。このような凹所を形成するためには、コンクリート打設時に凹所を形成する必要があり、コンクリート型枠が必要とされている。このような用途に使用される上記型枠としては、板状部材にて形成され、凹所の深さ（例えば、２０ｃｍ）に対応させた幅のものが用いられる。そして、この板状部材の型枠を支持する部材を別途使用してこれらの型枠を矩形に配置し（参考文献１参照）、しかる後床面コンクリートを打設して、コンクリート躯体中に凹所を設けていた。
【特許文献１】特開平５−２１４８１０号公報
【考案の開示】
【考案が解決しようとする課題】
【０００４】
しかしながら、上記凹所を形成するための型枠は、通常単なる板状部材のものであるため、これらの板状部材の他に、内側への倒伏を防止する支持部材としての補助部材を使用して矩形に組み立てる必要があり、コンクリート打設前の準備に手間がかかる欠点があった。また、上記型枠は、スペーサー等の支持部材を使用して型枠を支持することによりコンクリート躯体中に部分的に凹所を設置することができるのであるが、型枠を支持する上記スペーサー等では不安定であり、また正確な高さに型枠を支持することが困難であるという問題点があった。
【０００５】
そこで、この考案は、コンクリート躯体中に凹所を作成するための型枠を簡単に設置することができると共に、高さの調節を簡単かつ自由に行うことが出来るコンクリート型枠支持材を提供することを目的としている。
【課題を解決するための手段】
【０００６】
上記目的を達成するため、この考案のコンクリート型枠支持材は、コンクリート打設部位に配置するベース部材と、このベース部材に直立させて設けた支柱と、当該支柱に取付けて、支柱の長手方向に移動自在に設けたトッププレートと、このトッププレート上に設けた型板支持部とを具備することを特徴としている。
上記構成のコンクリート型枠支持材は、ベース部材に直立させて設けたボルト等からなる支柱にトッププレートを設けているので、トッププレートを回転させたりするだけで、このトッププレートを支柱の長手方向に移動させることができ、トッププレート上に設けた型枠支持部の高さを任意に変更することができる。したがって、トッププレートを上下してその高さを決定するだけで、型枠の位置決定が容易であり、当該型枠支持材を準備するだけで、コンクリート躯体内に形成する種々の大きさの凹所に対して柔軟に対応することができる。また、ベース部材を設けているので、スラブ等の上に簡単に設置できると共に、支持部によって安定良く型枠を支持することができる。
【０００７】
また、この考案の請求項２記載のコンクリート型枠支持材は、型枠支持部は、縦断面上向きコ字状に形成して、型枠を支持可能に形成していると共に、コ字状の上部を拡開状に形成していることを特徴としている。
上記請求項２記載の型枠支持材は、所定位置に配置した支持材上の支持部に対して型枠を挿入するだけで、型枠を配置することができ、コンクリート型枠を速やかに配置することができる。
【０００８】
さらに、請求項３記載のコンクリート型枠支持材は、型枠支持部は、縦断面上向きコ字状に形成し、型枠を支持可能に形成していると共に、型枠の支持部分を平面視Ｌ字状に形成していることを特徴としている。
この構成のコンクリート型枠支持材によれば、当該型枠支持材を、例えば方形に配置する型枠のコーナー部分に配置して型枠を挿入するだけで、型枠を直角方向に配置することができるため、型枠のコーナー処理を簡単に行うことができ、型枠の配置をより速やかに行うことができる。
【考案を実施するための最良の形態】
【０００９】
次に、この考案の実施の態様を図面を参照して説明する。図１は、この考案のコンクリート型枠支持材の一例を示す斜視図、図２は断面図である。
このコンクリート型枠支持材１は、コンクリート打設部位に配置するためのベース部材１０と、このベース部材１０のほぼ中心位置に直立させて設けた支柱としてのボルト２０と、当該ボルト２０に螺合し、回転させることによってボルト２０の長手方向に移動自在に設けたトッププレート３０と、このトッププレート３０上に設けた型板支持部４０とを具備している。
【００１０】
ベース部材１０は、コンクリート打設部に載置可能な略平板状のベース部材に形成しており、このベース部材１０の中心に、ボルト２０を固着している。トッププレート３０は、略平板に形成していると共に、中央下面に上記ボルト２０に対する略筒状とした螺合部３１を有する構成のものである。このトッププレート３０は、その全体を回転させることによって、上記ボルト２０の長手方向に沿って移動可能となっている（図２の仮想線で示す）。したがって、当該トッププレート３０を回転させて、ベース部材１０との間隔を調整することができ、トッププレート３０上に載置する型枠の設置高さを決定することができる。
【００１１】
次に、型枠支持部４０は、上記トッププレート３０上に設けているものであり、上方が開口した断面コ字状に形成しており、その溝状部分に型枠を挿入させて型枠を支持することができるものである。また、この型枠支持部４０は、上方側を拡開状に形成しており、型枠の挿入時にガイド機能を有する態様としている。
また、型枠支持部として、方形の凹所を作成する場合、コーナー部においては型枠を直角に突き合わせる必要がある。このコーナー用としての型枠支持材としては、図３に示すように、型枠を挿入する溝状部分を平面視においてＬ字状に形成した型枠支持部４１として構成している。
【００１２】
このコンクリート型枠支持材１は、マンション等の建築現場において、床面コンクリート躯体を形成する際、躯体の一部に凹所を形成するため好適に使用することができるものであって、凹所となる部分を囲むように型枠を配置するため、型枠の単位長さに合わせて適当な間隔で当該コンクリート型枠支持材１を配置する。そして、方形の凹所を形成する場合には、各コーナーとなる位置に平面視Ｌ字状となった型枠支持部４１を有するコンクリート型枠支持材１を配置する。
【００１３】
そして、作成する凹所の深さに合わせた型枠を準備すると共に、型枠を支持する位置に合わせるように、トッププレート３０を回転させて型枠支持部４０，４１の位置決めをする。しかる後、型枠支持部４０，４１に型枠を挿入して、型枠全体で方形の枠組みを完成させる。型枠支持部４０，４１に対する型枠の挿入時には、型枠支持部４０，４１の上方が拡開しているので、型枠の挿入のためのガイドとなり、型枠をスムーズに挿入することができる。
【００１４】
また、コーナー部分に配置するための型枠支持部４１を有するコンクリート型枠支持材１を使用することで、コーナー部の型枠を簡単に直角に突き合わせることができ、方形に配置する型枠をより簡単に設置することができものである。
このように、この考案のコンクリート型枠支持材１を使用すれば、ベース部材１０に直立させて設けたボルト２０に対しトッププレート３０を設けているので、トッププレート３０を回転させるだけで、このトッププレート３０をボルト２０の長手方向に簡単に移動させることができる。したがって、トッププレート３０上に設けた型枠支持部４０，４１の高さを簡単に変更することができ、型枠の高さを任意に、かつ簡単に設定することができる。また、略平板状のベース部材１０を設けているので、型枠を床面コンクリートスラブ等に安定良く支持させることができる。
【００１５】
なお、型枠支持部は縦断面コ字状に形成した例を示したが、縦方向に波形状に形成する構成等も採用することができ、型枠を支持する構造であれば種々の態様のものが採用できる。
さらに、トッププレートの高さを調節可能とする支柱の構成としては、ボルトの他、支柱を挟持させるクリップ等を用いてスライド式とする構成を採用することもできる。
【図面の簡単な説明】
【００１６】
【図１】この考案の実施の態様を示すコンクリート型枠支持材の斜視図である。
【図２】断面図である。
【図３】コーナー部に配置する型枠支持部を示す平面図である。
【符号の説明】
【００１７】
１          コンクリート型枠支持材
２０        ベース部材
３０        トッププレート
４０，４１  型枠支持部
【図１】
0003102251.tif 000003
【図２】
0003102251.tif 000004
【図３】
0003102251.tif 000005